【手続補正書】
【提出日】平成28年7月12日(2016.7.12)
【手続補正１】
【補正対象書類名】特許請求の範囲
【補正対象項目名】全文
【補正方法】変更
【補正の内容】
【特許請求の範囲】
【請求項１】
ユーザが、
ｉ）画面と、
ｉｉ）画面のキーパッドゾーン内に備えられ、実行時に生成されて、各キーはユーザによって操作される際に下記の電子デバイスに入力される印に関連した少なくとも1つの印を有する複数のキーを備える操作可能なキーパッドと、
を有する電子デバイスに識別名を入力することを可能にする工程から成っているが、
この工程は、前記キーパッドゾーン内に少なくとも部分的に表示されて、ユーザが画像内の位置を特定したときに前記キーパッドゾーン内に位置するキーパッドのキーを操作してユーザの入力の符号化バージョンを提供できるように前記キーパッドに重ね合わせられるカバーとしての役割を果たすスクランブルキーパッドの少なくとも一部の画像を介して、前記キーパッドの少なくとも１つのキーを操作することによって行われる
コンピュータ実施の検証方法。
【請求項２】
前記画像が、グラフィック画像、光学像、ビデオ、又は何か他の形の可視表現を含めて、電子的に形成される請求項１に記載の方法。
【請求項３】
前記キーパッドゾーンが前記画面の全体又は一部分を覆う画定された画面の領域又は部分である請求項１又は２のいずれかに記載の方法。
【請求項４】
前記画像は、前記ユーザには前記画像が、前記電子デバイスの前記キーパッドに対して、スクランブルされた配列又は構成のキーを有する操作可能なキーパッドに見えるように表示される請求項１乃至３のいずれかに記載の方法。
【請求項５】
前記キーパッドゾーンは、前記ユーザが前記識別名を入力する前に、キーパッド表示領域として特定される前記画面の一部分である請求項１乃至４のいずれかに記載の方法。
【請求項６】
前記キーパッドゾーン及び／又は前記画像が、前記ユーザの識別名の入力中に前記画面上の固定位置にとどまる請求項１乃至５のいずれかに記載の方法。
【請求項７】
前記識別名が個人識別コード又は個人識別番号である請求項１乃至６のいずれかに記載の方法。
【請求項８】
前記画像は、前記キーパッド内の前記キーのレイアウトに対して位置的に再配列又は再構成される少なくとも１つのキーを有するスクランブルキーパッドを表現し又は描写する請求項１乃至７のいずれかに記載の方法。
【請求項９】
前記画像内に描写された前記キーのすべてが、前記キーパッド内の前記キーに対して再配置又は再配列される請求項８に記載の方法。
【請求項１０】
前記ユーザは、マウス又はトラッカボール等のポインティングデバイスを使用して前記画面の一部分に触れ、且つ／又は前記画面のある領域を選択することによって、前記画面との対話により前記識別名を入力できる請求項１乃至９のいずれかに記載の方法。
【請求項１１】
遠隔に設置されたコンピュータベースの資源から前記電子デバイスへ前記画像を送信するステップを更に含む請求項１乃至１０のいずれかに記載の方法。
【請求項１２】
前記キーパッドゾーンは、複数のサブゾーン又は「ホットスポット」を備え、それぞれのサブゾーンは、キーパッドのキーに対応している請求項１乃至１１のいずれかに記載の方法。
【請求項１３】
前記スクランブルキーパッドの前記画像は、前記画像内に描写された少なくとも１つのキーの位置がサブゾーンの位置に対応するように前記ユーザに提示され、それによって、前記画像内に描写された前記スクランブルキーパッドの前記キーと前記複数のサブゾーンとの間のマッピングが行われる請求項１２に記載の方法。
【請求項１４】
前記キーパッド内の前記キーの構成又は配列は、前記ユーザの識別名の少なくとも一部が入力された後に変更される請求項１乃至１３のいずれかに記載の方法。
【請求項１５】
前記ユーザの識別名の符号化バージョンは、前記画面上の前記画像に対して前記ユーザによって行われたクリック、接触又は他の指示に応じて前記キーパッド上で活性化された複数のキーストロークにより、前記電子デバイス内で構築される請求項１乃至１４のいずれかに記載の方法。
【請求項１６】
前記デバイスに入力された前記識別名は、前記電子デバイスから遠隔のコンピュータベースの資源へ送信される請求項１乃至１５のいずれかに記載の方法。
【請求項１７】
前記遠隔のコンピュータベースの資源は、前記ユーザの識別名を受信し、それを処理する請求項１６に記載の方法。
【請求項１８】
前記識別名は、前記スクランブルキーパッドの前記画像内に描写された前記キーの前記構成の保管形式又は保管バージョンを使用して処理される請求項１７に記載の方法。
【請求項１９】
前記キーの前記構成の前記保管形式又は保管バージョンは、ファイル名である請求項１８に記載の方法。
【請求項２０】
処理は、前記キーの前記構成の前記保管形式又は保管バージョンを使用して、前記ユーザの入力識別名の復号化バージョンを得ることを含む請求項１９に記載の方法。
【請求項２１】
前記処理された識別名は、前記ユーザの識別名の保管バージョンと比較され、前記処理された識別名が前記識別名の前記保管バージョンと一致した場合に、前記ユーザの入力が確認されたと判断される請求項１８乃至２０に記載の方法。
【請求項２２】
前記デバイス上に表示された画像は、スクランブルキーパッドの複数の画像から選択され、好ましくは、前記複数のものの中の画像は、前記キーパッド内の対応する前記キーと同じ位置にあるどのキーも描写していないことを保証するために、前記複数のものをフィルタリングして前記画像を選択又は選別する前に、何らかのやり方で前記複数のものがフィルタリングされる請求項１乃至２１のいずれかに記載の方法。
【請求項２３】
スクランブルキーパッドの複数の画像を生成するステップと、
前記複数の画像から１つの画像を選択するステップと、
前記選択された画像のコピーを前記電子デバイスへ送信するステップと
を更に含む請求項１乃至２２のいずれかに記載の方法。
【請求項２４】
前記選択を行う前に少なくとも１つの画像を前記複数の画像から除去するステップ
を更に含む請求項２３に記載の方法。
【請求項２５】
前記コピーを前記電子デバイスへ送信した後に、前記選択された画像を前記複数の画像から除去するステップ
を更に含む請求項２３又は２４に記載の方法。
【請求項２６】
前記キーパッド内の前記それぞれのキーと同じ位置にある少なくとも１つのキーを有するスクランブルキーパッドを表すいずれの画像も、前記複数の画像から除去するステップ
を更に含む請求項２３乃至２５に記載の方法。
【請求項２７】
前記画像内に描写されたすべてのキーの位置が、前記ユーザの識別名の入力中に相互に対して変わらないままである請求項１乃至２６のいずれかに記載の方法。
【請求項２８】
前記スクランブルキーパッドの前記画像は、前記電子デバイスから遠隔に設置されたコンピュータベースの資源から前記電子デバイスによって受信される請求項１乃至２７のいずれかに記載の方法。
【請求項２９】
前記スクランブルキーパッドの前記画像内の少なくとも１つのキーの記号は、少なくとも部分的に見えにくくされるか、又は難読化されるが、ユーザには判読可能なままである請求項１乃至２８のいずれかに記載の方法。
【請求項３０】
前記電子デバイスは、モバイル電話、パーソナルコンピュータ、タブレット型コンピュータ、ラップトップ、携帯情報端末、カード読取り端末又はカード読取りデバイス若しくは電子ＰＯＳデバイスに似るようにハウジング内にあるモバイル電話又は通信機能を有するある種の他の電子デバイスである請求項１乃至２９のいずれかに記載の方法。
【請求項３１】
前記画像は、ウェブブラウザ、又はブラウザの中に埋め込まれたアプリケーション、若しくは独立型ソフトウェアアプリケーションを介して、且つ／又は前記ユーザが前記画面と対話できるようにするグラフィカルユーザインターフェースを提供するアプリケーションを介して表示される請求項１乃至３０のいずれかに記載の方法。
【請求項３２】
前記ユーザにインジケータを配信して、前記スクランブルキーパッドの前記画像が正当な送信元から供給されたことを確認するステップを更に含む請求項１乃至３１のいずれかに記載の方法。
【請求項３３】
前記インジケータは、可聴表示、可視表示、テキストメッセージ、画像、ビデオ、音声、透かし、振動又は他の触覚表示である請求項３２に記載の方法。
【請求項３４】
前記インジケータは、前記ユーザによって選択される請求項３２又は３３に記載の方法。
【請求項３５】
前記画面上の前記キーパッドゾーンの位置及び／又はその寸法は、手続き呼出し又は方法呼出しによって特定される請求項１乃至３４のいずれかに記載の方法。
【請求項３６】
前記画像は、前記ユーザの入力の後又は指定期間の後に、前記電子デバイスから消去される請求項１乃至３５のいずれかに記載の方法。
【請求項３７】
前記ユーザの入力識別名は、金融資源、デバイス、建物、電子的資源、医学的資源、情報若しくはデータ資源又はコンピュータベースの資源等の資源へのアクセスを管理するために確認される請求項１乃至３６のいずれかに記載の方法。
【請求項３８】
遠隔に設置されたコンピュータベースの資源から前記電子デバイスへ前記画像を送信するステップと、
少なくとも１つの指令を前記電子デバイスへ送信するステップを更に含み、
前記少なくとも１つの指令は、前記デバイスの実行時に前記操作可能なキーパッドを生成するように構成されている請求項１乃至３７のいずれかに記載の方法。
【請求項３９】
事前保管個人識別コード（ＰＩＣ）を確認するためのコンピュータ実施の方法であって、
−  キーパッドの画像を生成するステップであって、前記画像内の少なくとも１つの印の位置が操作可能なキーパッド内のそれぞれの印の位置と異なるステップと、
−  前記画像をユーザに提示するために、前記画像を遠隔のデバイスへ送信して前記ユーザが前記画像を介して前記操作可能なキーパッドの少なくとも1つのキーを操作してＰＩＣを入力できるようにするステップであって、
前記キーパッドは、実行時に前記遠隔装置において生成されて複数のキーを備え、各キーは電子デバイスに入力される印に関連した少なくとも１つの印を有し、
前記画像は、ユーザが画像内の位置を特定したときに前記キーパッドゾーン内に位置するキーパッドのキーを操作してユーザの入力の符号化バージョンを提供できるように前記キーパッドに重ね合わせられるカバーとしての役割を果たすステップと、
−  前記入力ＰＩＣの符号化バージョンを前記遠隔のデバイスから受信するステップと、
−  前記符号化バージョンを復号化して前記入力ＰＩＣの復号化バージョンを得るステップと、
−  前記入力ＰＩＣの前記復号化バージョンを前記事前保管ＰＩＣと比較するステップと
を含む
コンピュータ実施の方法。
【請求項４０】
事前保管個人識別コード（ＰＩＣ）を確認するためのコンピュータ実施の方法であって、
−  実行時に電子デバイスに操作可能なキーパッドを生成するステップであって、前記キーパッドは各キーには前記デバイスに入力される印に関連した少なくとも１つの印が含まれる複数のキーを備えているステップと、
−  キーパッドの画像を遠隔に設置されたコンピュータベースの資源から受信するステップであって、前記画像内の少なくとも１つの印の位置が前記キーパッド内のそれぞれの印の位置と異なるステップと、
−  前記画像をユーザに提示して前記ユーザが前記画像を使用してＰＩＣを入力できるようにするステップであって、前記画像は、ユーザが画像内の位置を特定したときに前記キーパッドゾーン内に位置するキーパッドのキーを操作してユーザの入力の符号化バージョンを提供できるように前記キーパッドに重ね合わせられるカバーとしての役割を果たすステップと、
−  前記入力ＰＩＣの符号化バージョンを生成するステップと、
−  前記入力ＰＩＣの復号化バージョンを前記事前保管ＰＩＣと比較することができるように、前記入力ＰＩＣの前記符号化バージョンを復号化のために前記コンピュータベースの資源へ送信するステップと
を含むコンピュータ実施の方法。
【請求項４１】
事前保管個人識別コード（ＰＩＣ）を確認するためのコンピュータ実施の方法であって、
−  実行時に電子デバイスに操作可能なキーパッドを生成するステップであって、前記キーパッドは各キーには前記デバイスに入力される印に関連した少なくとも１つの印が含まれる複数のキーを備えているステップと、
−  コンピュータベースの資源を使用してキーパッドの画像を生成するステップであって、前記画像内の少なくとも１つの印の位置が、前記キーパッド内のそれぞれの印の位置と異なるステップと、
−  前記画像を前記電子デバイスへ送信するステップと、
−  前記電子デバイスを介してユーザに前記画像を提示して、前記ユーザが前記画像を使用してＰＩＣを入力できるようにするステップであって、前記画像は、ユーザが画像内の位置を特定したときに前記キーパッドゾーン内に位置するキーパッドのキーを操作してユーザの入力の符号化バージョンを提供できるように前記キーパッドに重ね合わせられるカバーとしての役割を果たすステップと、
−  前記入力ＰＩＣの符号化バージョンを前記電子デバイスから前記コンピュータベースの資源へ送信するステップと、
−  前記コンピュータベースの資源を使用して前記符号化バージョンを復号化し、それによって前記入力ＰＩＣの復号化バージョンを得ると共に、それを前記事前保管ＰＩＣと比較するステップと
を含むコンピュータ実施の方法。
【請求項４２】
請求項１乃至４１のいずれかに記載の方法を実施するように配置して構成されたコンピュータ実施のシステム。